(57)【要約】    【課題】  電子機器に実装されるコネクタのコネクタキャップを確実に固定可能とし、又コネクタキャップ装着についての作業性の向上を図る。    【解決手段】  電子機器１４に実装されるコネクタ４を覆うカバー部に設けられた係止凸部８，９と、該係止凸部の少なくとも一方に設けられたキー孔と、該キー孔に嵌入可能なロックキー２２とを具備し、前記係止凸部の頭部が前記コネクタ近傍に設けられた係止孔に嵌合貫通し、前記ロックキーが前記キー孔に嵌入して前記係止凸部の抜脱を防止する様構成した。    【選択図】          図３
2008234971.tif 000002
【特許請求の範囲】
【請求項１】
電子機器に実装されるコネクタを覆うカバー部に設けられた係止凸部と、該係止凸部の少なくとも一方に設けられたキー孔と、該キー孔に嵌入可能なロックキーとを具備し、前記係止凸部の頭部が前記コネクタ近傍に設けられた係止孔に嵌合貫通し、前記ロックキーが前記キー孔に嵌入して前記係止凸部の抜脱を防止する様構成したことを特徴とする電子機器のコネクタキャップ。
【発明の詳細な説明】
【技術分野】
【０００１】
本発明は電子機器、特に携帯用電子機器等の端末機に実装されたコネクタキャップに関するものである。
【背景技術】
【０００２】
電子機器、特に携帯用電子機器等の端末機では、他の電子機器との接続の為、或は調整を行う為のコネクタが実装されており、常時使用されないコネクタであることから該コネクタには保護用のキャップが装着される。
【０００３】
図６は、従来の電子機器の筐体を省略し、内部を露出させた状態を示しており、図中、１はシャーシ、２は該シャーシ１に固定された配線基板、３は該配線基板２に取付けられたシールドカバーを示している。
【０００４】
前記配線基板２の端部には、他の電子機器との接続の為、或は調整用としてコネクタ４が実装されている。
【０００５】
電子機器が携帯用電子機器の様な端末機では、前記コネクタ４は常時使用されることはないので、該コネクタ４の保護の為、通常該コネクタ４にコネクタキャップ５が装着される。
【０００６】
図７により従来のコネクタキャップ５について説明する。
【０００７】
図７は該コネクタキャップ５の裏面側から視たものである。該コネクタキャップ５は高弾性の合成樹脂製であり、前記コネクタ４全体を覆うカバー部６と前記コネクタ４の凹部に嵌合する嵌入部７、前記シャーシ１又は前記筐体に穿設された係着孔（図示せず）に嵌入する係止凸部８，９が突設されている。又１１は前記コネクタ１の係合凹部（図示せず）に係合する係止片である。
【０００８】
前記係止凸部８，９はそれぞれ前記シャーシ１、前記筐体の係着孔より大きな頭部８ａ，９ａを有する。前記係止凸部８，９を前記係着孔に押込むことで、前記頭部８ａ，９ａが弾性変形で縮小して前記係着孔を通過し、又復元することで、前記係止凸部８，９と前記係着孔との嵌合状態が維持される。
【０００９】
上記コネクタキャップ５では、該コネクタキャップ５の保持力を前記係止凸部８，９と前記係着孔との嵌合力だけに頼っており、前記係止凸部８，９と前記係着孔との嵌合が完全でなかった場合、或は前記コネクタキャップ５の経時的な劣化により弾性力が低下した場合、或は電子機器が落下する等して衝撃、振動が作用した場合等、前記コネクタキャップ５が脱落する虞れがある。
【００１０】
この為、図８に示す様に、前記筐体、或は前記シールドカバー３よりコネクタキャップ押え１２を延出させ、該コネクタキャップ押え１２の先端部１２ａを折曲げ、該先端部１２ａにより前記コネクタキャップ５を押えて抜けない様にしたものがある。
【００１１】
然し乍ら、前記コネクタキャップ押え１２を設けて前記コネクタキャップ５の脱落を防止する場合、前記先端部１２ａの折曲げは前記コネクタキャップ５を装着した後で行われ、作業工程としては最後となり、而も通常では作業位置を目視できない狭小な場所での作業であり、作業性、確実性に問題があった。
【００１２】
【特許文献１】特開２００１−２５０６２９号公報
【発明の開示】
【発明が解決しようとする課題】
【００１３】
本発明は斯かる実情に鑑み、コネクタキャップを確実に固定可能とし、又コネクタキャップ装着についての作業性の向上を図るものである。
【課題を解決するための手段】
【００１４】
本発明は、電子機器に実装されるコネクタを覆うカバー部に設けられた係止凸部と、該係止凸部の少なくとも一方に設けられたキー孔と、該キー孔に嵌入可能なロックキーとを具備し、前記係止凸部の頭部が前記コネクタ近傍に設けられた係止孔に嵌合貫通し、前記ロックキーが前記キー孔に嵌入して前記係止凸部の抜脱を防止する様構成した電子機器のコネクタキャップに係るものである。
【発明の効果】
【００１５】
本発明によれば、電子機器に実装されるコネクタを覆うカバー部に設けられた係止凸部と、該係止凸部の少なくとも一方に設けられたキー孔と、該キー孔に嵌入可能なロックキーとを具備し、前記係止凸部の頭部が前記コネクタ近傍に設けられた係止孔に嵌合貫通し、前記ロックキーが前記キー孔に嵌入して前記係止凸部の抜脱を防止する様構成したので、前記コネクタキャップは確実にコネクタを覆い、電子機器が落下する等して衝撃、振動が作用した場合等でもコネクタキャップの脱落が防止されるという優れた効果を発揮する。
【発明を実施するための最良の形態】
【００１６】
以下、図面を参照しつつ本発明を実施する為の最良の形態を説明する。
【００１７】
図１は、本発明に係る電子機器１４の外観斜視図を示し、図２はコネクタキャップを外した状態を示す斜視図であり、図３は該電子機器１４の筐体１５の一部を取外し、内部を露出させた斜視図である。尚、図１〜図３中、図６、図７中で示したものと同等のものには同符号を付してある。
【００１８】
前記電子機器１４の内部には、配線基板２が収納され、該配線基板２にはコネクタ４，コネクタ２４（図示せず）が実装され、前記コネクタ４は前記筐体１５の側面に露出し、他方の前記コネクタ２４は底面に露出している。
【００１９】
前記筐体１５の側面には、キャップ収納凹部１６が形成され、該キャップ収納凹部１６の底部には前記コネクタ４の端面が露出する開口部１７が形成されると共に該開口部１７を挾んで係止孔１８，１９が穿設されている。前記キャップ収納凹部１６には図４に示すコネクタキャップ２０が嵌込まれる。同様にして、底面にもキャップ収納部凹部（図示せず）が形成され、該キャップ収納部には図５に示されるコネクタキャップ３０が嵌込まれる。
【００２０】
前記コネクタキャップ２０は、前記キャップ収納凹部１６に嵌合するカバー部６と、該カバー部６の略中央に突設された嵌入部７、該嵌入部７を挾み前記カバー部６の両端部に係止凸部８，９、前記嵌入部７の両側に係止片１１，１１とを有している。前記コネクタキャップ２０の表面には幅方向に溝２５が形成され、該溝２５はヒンジとして機能し、該溝２５部分で屈曲可能となっている。
【００２１】
前記係止凸部８，９には前記係止孔１８，１９より大きい頭部８ａ，９ａが形成され、前記頭部８ａは台形形状、前記頭部９ａは円錐形状をしている。
【００２２】
前記頭部８ａにはキー孔２１が貫通し、該キー孔２１にはロックキー２２が嵌脱可能となっている。
【００２３】
前記コネクタキャップ２０を装着する場合を説明する。
【００２４】
前記嵌入部７を前記コネクタ４の凹部に位置合せすると共に、前記係止凸部８を前記係止孔１８に、前記係止凸部９を前記係止孔１９に合わせ、前記係止凸部８，９を押込む。
【００２５】
前記係止片１１が前記開口部１７の側縁に係合し、前記頭部８ａ、前記頭部９ａが完全に前記係止孔１８、前記係止孔１９から突出することで前記コネクタキャップ２０が取付けられる。更に、前記ロックキー２２を前記キー孔２１に嵌入する。前記ロックキー２２が前記係止凸部８を貫通することで、該係止凸部８は前記係止孔１８から抜脱することがなくなる。
【００２６】
前記コネクタ４を使用する場合、前記カバー部６の端部を持上げ、前記係止凸部９を前記係止孔１９から外すことで、前記コネクタキャップ２０は前記溝２５を中心に屈曲して前記コネクタ４が露出される。前記係止凸部８は前記ロックキー２２によって抜止めされているので、前記コネクタキャップ２０を開閉しても前記係止凸部８が前記係止孔１８から抜けることはなく、前記コネクタキャップ２０が脱落することはない。
【００２７】
尚、前記ロックキー２２によって前記コネクタキャップ２０の抜脱が防止できることから、前記係止凸部８，９と前記係止孔１８，１９との係合力に頼る必要がなくなり、前記コネクタキャップ２０は必ずしも高弾性材料でなくともよい。
【００２８】
又、前記ロックキー２２の予期しない抜脱を防止する為、該ロックキー２２と前記係止凸部８とを溶着してもよい。
【００２９】
又、前記ロックキー２２の抜脱を防止する手段は種々考えられ、例えば、前記筐体１５に前記ロックキー２２の抜脱を防止する為の突起２３を設けてもよい。
【００３０】
図５は前記コネクタキャップ３０を示している。尚、図５中、図４中で示したものと同等のものには同符号を付しその説明を省略する。
【００３１】
該コネクタキャップ３０は、開閉の頻度が前記コネクタキャップ２０より多い場合に適用されるものであり、開閉が容易な様に前記コネクタキャップ３０の外面の一端部に爪部２６が形成されている。該爪部２６を指で摘む、或はボールペン等の尖端部で引起すことで、前記コネクタキャップ３０が簡単に開放できる。
【００３２】
尚、該コネクタキャップ３０は、前記コネクタキャップ２０の係止凸部９に相当する係止凸部として鉤部２７が形成されており、前記筐体１５には前記鉤部２７に対応する矩形の係止孔（図示せず）が穿設されている。
【００３３】
尚、本発明に係るコネクタキャップ２０と従来のコネクタキャップ５とはコネクタ４が同一であれば、同一の形状となり、又筐体１５側にコネクタキャップ２０の為の加工は必要がなく、従来の電子機器のコネクタにも直ちに実施することができる。
【００３４】
尚、前記ロックキー２２の形状は上記実施の形態に限られることはなく、又上記実施の形態では、前記キー孔２１が穿設される前記係止凸部８を台形形状としたが、前記ロックキー２２が貫通できる形状であれば種々の形状が採用される。
【００３５】
或は、前記頭部９ａに先端側から同心の穴を形成し、該穴にロックキーを嵌入してもよい。この場合、ロックキーは前記頭部９ａの縮径変形を抑止するので、やはり、前記係止凸部９が前記係止孔１９から抜脱することが防止される。
【００３６】
前記コネクタキャップ２０，３０は、好ましくは合成樹脂等の高弾性体材料が用いられ、又前記ロックキー２２は合成樹脂、金属材料等種々の材料が使用され、特に前記コネクタキャップ２０，３０と前記ロックキー２２とを同材質、或は略同材質とした場合、該ロックキー２２と前記コネクタキャップ２０，３０との溶着が可能となる。
【００３７】
尚、前記ロックキー２２は前記係止凸部８に設けたが、該係止凸部８、前記係止凸部９のいずれか一方、或は両方に設けてもよい。更に、前記爪部２６はコネクタキャップの開閉の頻度に拘らず設けてもよい。
【００３８】
又、前記係止孔１８、前記係止孔１９は前記配線基板２に設けられたシールドカバー３（図６参照）等に設けられてもよく、前記筐体１５、前記シールドカバー３等、コネクタキャップ２０を保持可能な部材で前記コネクタ４の近傍であればよい。
【図面の簡単な説明】
【００３９】
【図１】本発明が実施される電子機器の一例を示す斜視図である。
【図２】該電子機器でコネクタキャップを取外した状態を示す斜視図である。
【図３】該電子機器の筐体の一部を取外して内部を露出した状態の斜視図である。
【図４】本発明に使用されるコネクタキャップの斜視図である。
【図５】本発明に使用されるコネクタキャップの斜視図である。
【図６】従来のコネクタキャップが用いられる電子機器の斜視図である。
【図７】従来のコネクタキャップを示す斜視図である。
【図８】従来のコネクタキャップ抜脱防止の為のコネクタキャップ押えを示す斜視図である。
【符号の説明】
【００４０】
１              シャーシ
２              配線基板
４              コネクタ
６              カバー部
７              嵌入部
８              係止凸部
９              係止凸部
１８            係止孔
１９            係止孔
２０            コネクタキャップ
２１            キー孔
２２            ロックキー
２６            爪部
【図１】
2008234971.tif 000003
【図２】
2008234971.tif 000004
【図３】
2008234971.tif 000005
【図４】
2008234971.tif 000006
【図５】
2008234971.tif 000007
【図６】
2008234971.tif 000008
【図７】
2008234971.tif 000009
【図８】
2008234971.tif 000010